(57)【要約】【課題】本発明は、少なくとも読み取りの完了した原稿に済みスタンプを記録する画像処理装置に関する。【解決手段】複合装置１は、搬送される原稿を、スキャナ部４や密着イメージセンサ４８で走査して、原稿の画像を読み取った後の所定タイミングに、コントローラが、該原稿に少なくとも読み取り済であることを示す済みスタンプを記録する済みスタンプ部５０の済みスタンプ記録部を移動モータによって主走査方向の所定の主走査方向記録位置に移動させるとともに、該済みスタンプ記録部の記録動作を制御して、該主走査方向記録位置であって該原稿の所定の副走査方向記録位置に該済みスタンプを記録する。したがって、済みスタンプを記録する毎、例えば、表面済みスタンプと裏面済みスタンプ毎に記録位置を主走査方向で異ならせることができる。【選択図】          図２
2009225375.tif 000002
【特許請求の範囲】
【請求項１】
原稿を搬送する原稿搬送手段と、該搬送される原稿を走査して該原稿の画像を読み取る画像読み取り手段と、該原稿に少なくとも読み取り済であることを示す済みスタンプを記録する済みスタンプ手段と、該済みスタンプ手段を該原稿の搬送方向である主走査方向に移動させるスタンプ移動手段と、該スタンプ移動手段による該済みスタンプ手段の主走査方向の移動位置と該済みスタンプ手段による記録動作を制御して、該画像読み取り手段によって該原稿の画像が読み取られた後の所定タイミングに、該原稿の搬送方向である副走査方向の所定の副走査方向記録位置であって主走査方向の所定の主走査方向記録位置に該済みスタンプを記録させるスタンプ制御手段と、を備えていることを特徴とする画像処理装置。
【請求項２】
前記画像処理装置は、前記画像読み取り手段として、前記原稿の表面の画像を読み取る表面画像読み取り手段と該原稿の裏面の画像を読み取る裏面画像読み取り手段とを備え、前記スタンプ制御手段は、該表面画像読み取り手段による該原稿の表面読み取り済みを示す表面済みスタンプと該裏面画像読み取り手段による該原稿の裏面読み取り済みを示す裏面済みスタンプとで異なる前記主走査方向記録位置に前記済みスタンプ手段を前記スタンプ移動手段によって移動させて、該済みスタンプ手段に該異なる主走査方向記録位置に該表面済みスタンプと該裏面済みスタンプを記録させる位置制御と記録動作制御を行うことを特徴とする請求項１記載の画像処理装置。
【請求項３】
前記スタンプ制御手段は、前記画像読み取り手段による前記原稿の読み取り回数によって異なる前記主走査方向記録位置へ前記スタンプ移動手段によって前記済みスタンプ手段を移動させ、該主走査方向記録位置で該済みスタンプ手段に前記済みスタンプを記録させることを特徴とする請求項１または請求項２記載の画像処理装置。
【請求項４】
前記画像処理装置は、前記済みスタンプ手段として、前記表面済みスタンプ用の表面済みスタンプ手段と、前記裏面済みスタンプ用の裏面済みスタンプ手段と、を前記原稿の表面側または裏面側の一方側に備え、前記スタンプ移動手段として、該表面済みスタンプ手段を主走査方向に移動させる表面スタンプ移動手段と、該裏面済みスタンプ手段を主走査方向に移動させる裏面済みスタンプ移動手段と、を備え、前記スタンプ制御手段は、該表面済みスタンプと該裏面済みスタンプの前記主走査方向記録位置に該表面済みスタンプ移動手段と該裏面済みスタンプ移動手段によって該表面済みスタンプ手段と該裏面済みスタンプ手段を移動させて該表面済みスタンプと該裏面済みスタンプを記録させることを特徴とする請求項１から請求項３のいずれかに記載の画像処理装置。
【請求項５】
前記済みスタンプ手段は、少なくともその形状、色の異なる前記済みスタンプを記録する機能を有し、前記スタンプ制御手段は、該済みスタンプ手段に前記表面済みスタンプと前記裏面済みスタンプとで少なくとも形状、色のいずれかを異ならせて記録させることを特徴とする請求項２から請求項４のいずれかに記載の画像処理装置。
【請求項６】
前記画像処理装置は、画像データのファクシミリ通信を行うファクシミリ通信手段を備え、前記スタンプ制御手段は、前記画像読み取り手段の読み取った前記原稿の画像データの該ファクシミリ通信手段によるファクシミリ送信が完了したタイミングで、前記済みスタンプ手段に該原稿に対して前記済みスタンプを記録させることを特徴とする請求項１から請求項５のいずれかに記載の画像処理装置。
【発明の詳細な説明】
【技術分野】
【０００１】
本発明は、画像処理装置に関し、詳細には、少なくとも読み取りの完了した原稿に済みスタンプを記録する画像処理装置に関する。
【背景技術】
【０００２】
複合装置、ファクシミリ装置等の画像処理装置においては、原稿の画像を画像読み取り部で読み取って該読み取った画像データに必要な画像処理を施して、該画像データをファクシミリ送信したり、ホスト装置に送信したり等の画像処理を行う。
【０００３】
このような画像処理装置においては、画像読み取り部で読み取ってファクシミリ送信の完了した原稿に済みスタンプを記録する済みスタンプ部を搭載していることが多い。この済みスタンプ部は、通常、読み取りの完了した原稿の搬送方向後端部の主走査方向端部位置を記録位置として、該記録位置に済みスタンプを記録する位置に固定的に配設されている。
【０００４】
また、画像処理装置においては、画像読み取り部として、従来から原稿の表裏面を同時に読み取る両面画像読み取り部を備えた画像処理装置があり、このような両面画像読み取り部を備えた画像処理装置においては、済みスタンプとしては、従来、原稿の表面側に済みスタンプを記録する表面済みスタンプ部と、原稿の裏面側に済みスタンプを記録する裏面済みスタンプ部とを備えている。この従来の両面画像読み取り部を備えた画像処理装置においては、表面済みスタンプ部と裏面済みスタンプ部が、それぞれ原稿の搬送方向後端部の表面側と裏面側の主走査方向端部位置を記録位置として、該記録位置に表面済みスタンプと裏面済みスタンプを記録する位置に固定的に配設されている（特許文献１参照）。
【０００５】
【特許文献１】特許第３５６０１９５号公報
【発明の開示】
【発明が解決しようとする課題】
【０００６】
しかしながら、上記従来技術にあっては、済みスタンプ部が固定的に配設されているため、同じ原稿を複数回読み取りを行うと、同じ位置に重なって済みスタンプが記録され、読み取りが正常に行われたのか否かを済みスタンプの記録によって確認し難いという問題があった。また、従来技術にあっては、表面用と裏面用の済みスタンプ部が、原稿の表面側と裏面側のそれぞれに固定的に設けられているため、片側面のみ複数回読み取りを行った場合、該複数回読み取りを行った分だけ同じ位置に済みスタンプが記録され、済みスタンプのみでは、何回読み取りが行われたかを確認することができない。特に、画像処理装置がファクシミリ送信を完了した時点で、済みスタンプの記録を行う場合、複数回同じ原稿や同じ原稿の同じ面を使用してファクシミリ送信を行うと、済みスタンプがファクシミリ送信回数だけ同じ位置に記録されるため、済みスタンプによってのみでは、ファクシミリ送信の適否を確認することができず、改良の必要があった。
【０００７】
そこで、本発明は、済みスタンプによって少なくとも原稿の適切な読み取りを確実に確認することのできる画像処理装置を提供することを目的としている。
【課題を解決するための手段】
【０００８】
本発明の画像処理装置は、上記目的を達成するために、原稿搬送手段によって搬送される原稿を、画像読み取り手段が走査して、該原稿の画像を読み取った後の所定タイミングに、スタンプ制御手段が、該原稿に少なくとも読み取り済であることを示す済みスタンプを記録する済みスタンプ手段をスタンプ移動手段によって主走査方向の所定の主走査方向記録位置に移動させるとともに、該済みスタンプ手段の記録動作を制御して該原稿の所定の副走査方向記録位置に該済みスタンプを記録することを特徴としている。
【０００９】
また、本発明の画像処理装置においては、前記画像読み取り手段として、前記原稿の表面の画像を読み取る表面画像読み取り手段と該原稿の裏面の画像を読み取る裏面画像読み取り手段とを備え、前記スタンプ制御手段は、該表面画像読み取り手段による該原稿の表面読み取り済みを示す表面済みスタンプと該裏面画像読み取り手段による該原稿の裏面読み取り済みを示す裏面済みスタンプとで異なる前記主走査方向記録位置に前記済みスタンプ手段を前記スタンプ移動手段によって移動させて、該済みスタンプ手段に該異なる主走査方向記録位置に該表面済みスタンプと該裏面済みスタンプを記録させる位置制御と記録動作制御を行うことを特徴としてもよい。
【００１０】
さらに、本発明の画像処理装置においては、前記スタンプ制御手段は、前記画像読み取り手段による前記原稿の読み取り回数によって異なる前記主走査方向記録位置へ前記スタンプ移動手段によって前記済みスタンプ手段を移動させ、該主走査方向記録位置で該済みスタンプ手段に前記済みスタンプを記録させることを特徴としてもよい。
【００１１】
また、本発明の画像処理装置においては、前記画像処理装置は、前記済みスタンプ手段として、前記表面済みスタンプ用の表面済みスタンプ手段と、前記裏面済みスタンプ用の裏面済みスタンプ手段と、を前記原稿の表面側または裏面側の一方側に備え、前記スタンプ移動手段として、該表面済みスタンプ手段を主走査方向に移動させる表面スタンプ移動手段と、該裏面済みスタンプ手段を主走査方向に移動させる裏面済みスタンプ移動手段と、を備え、前記スタンプ制御手段は、該表面済みスタンプと該裏面済みスタンプの前記主走査方向記録位置に該表面済みスタンプ移動手段と該裏面済みスタンプ移動手段によって該表面済みスタンプ手段と該裏面済みスタンプ手段を移動させて該表面済みスタンプと該裏面済みスタンプを記録させることを特徴としてもよい。
【００１２】
さらに、本発明の画像処理装置においては、前記済みスタンプ手段は、少なくともその形状、色の異なる前記済みスタンプを記録する機能を有し、前記スタンプ制御手段は、該済みスタンプ手段に前記表面済みスタンプと前記裏面済みスタンプとで少なくとも形状、色のいずれかを異ならせて記録させることを特徴としてもよい。
【００１３】
また、本発明の画像処理装置においては、前記画像処理装置は、画像データのファクシミリ通信を行うファクシミリ通信手段を備え、前記スタンプ制御手段は、前記画像読み取り手段の読み取った前記原稿の画像データの該ファクシミリ通信手段によるファクシミリ送信が完了したタイミングで、前記済みスタンプ手段に該原稿に対して前記済みスタンプを記録させることを特徴としてもよい。
【発明の効果】
【００１４】
本発明の画像処理装置によれば、原稿搬送手段によって搬送される原稿を、画像読み取り手段が走査して、該原稿の画像を読み取った後の所定タイミングに、スタンプ制御手段が、該原稿に少なくとも読み取り済であることを示す済みスタンプを記録する済みスタンプ手段をスタンプ移動手段によって主走査方向の所定の主走査方向記録位置に移動させるとともに、該済みスタンプ手段の記録動作を制御して該主走査方向記録位置であって該原稿の所定の副走査方向記録位置に該済みスタンプを記録するので、済みスタンプを記録する毎、例えば、表面済みスタンプと裏面済みスタンプ、読み取り毎の済みスタンプ等によって済みスタンプの記録位置を主走査方向で異ならせて記録することができ、済みスタンプによる読み取り済の確認を適切かつ容易に行うことができる。
【発明を実施するための最良の形態】
【００１５】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１６】
図１〜図４は、本発明の画像処理装置の一実施例を示す図であり、図１は、本発明の画像処理装置の一実施例を適用した複合装置１の正面概略構成図である。
【００１７】
図１において、複合装置１は、下部から、給紙バンク２、プリンタ部３、スキャナ部４、操作表示部５及びＡＤＦ（Auto Document Feeder）６が順次積み重ねられた状態で、構築されており、給紙バンク２には、大容量の用紙を収納する大容量給紙トレイ７が接続されており、また、フィニッシャ１０が接続されている。
【００１８】
給紙バンク２は、複数の給紙トレイを備え、各給紙トレイには、それぞれ紙サイズの異なる用紙を収納可能である。給紙バンク２は、各給紙トレイのうち印刷時に指定されている給紙トレイから１枚ずつ用紙を分離してプリンタ部３に搬送する。また、給紙バンク２は、給紙元として大容量給紙トレイ７が指定されると、該大容量給紙トレイ７から用紙を１枚ずつ分離してプリンタ部３に搬送する。
【００１９】
プリンタ部３は、例えば、電子写真方式で給紙バンク２から搬送されてきた用紙に画像を印刷し、印刷済の用紙をプリンタ部３とスキャナ部４との間に設けられている排紙トレイ８またはフィニッシャ１０に排出する。プリンタ部３は、両面ドライブユニット３ａを備えており、両面ドライブユニット３ａは、両面印刷時に、片面（表面）に印刷した用紙を表裏面反転して再度印刷実行位置に搬送し、印刷実行位置で他面（裏面）に印刷を実行させる。
【００２０】
フィニッシャ１０は、複数の排紙トレイ１１を備えているとともに、印刷済の用紙束にステープル処理を行うステープル機構部、パンチ処理を行うパンチ機構部等の後処理機構部を備えて、プリンタ部３で画像の印刷された用紙束に指定された後処理を行って、排紙トレイ１１上に排紙し、また、複数の排紙トレイ１１上にページ毎に複数部数を順次排紙するソート機能を実行する。
【００２１】
操作表示部５は、テンキーやスタートキー等の各種操作キーを備えるとともに、ディスプレイ（例えば、液晶ディスプレイ）を備え、操作キーからは、送信操作、コピー操作、スキャナ操作等の各種命令操作が行われ、ディスプレイには、操作キーから入力された命令内容や複合装置１からユーザに通知する各種情報が表示される。
【００２２】
複合装置１は、ＰＢＸ（構内交換機）１５等を介して公衆電話回線等のファクシミリ通信可能な回線に接続されており、また、複合装置１に印刷対象のデータを送って複合装置１のプリンタ部３に印刷させ、また、スキャナ部４で読み取った原稿の画像データを取得するホスト装置ＨＳが接続されている。
【００２３】
スキャナ部４及びＡＤＦ６は、図２に拡大概略構成図を示すように構成されており、スキャナ部４上にＡＤＦ６が載置されている。
【００２４】
スキャナ部４は、筐体２１の上面部に読み取りガラス２２及びコンタクトガラス２３が配設されており、読み取りガラス２２及びコンタクトガラス２３の下方の筐体２１の内部には、第１走行体２４に搭載されている光源としてのランプ２５と第１ミラー２６、第２走行体２７に搭載されている第２ミラー２８と第３ミラー２９、レンズ３０及びＣＣＤ（Charge Coupled Device ）ユニット３１等からなる第１読み取り部（表面画像読み取り手段）３２が配設されている。
【００２５】
複合装置１は、コンタクトガラス２３上にセットされた原稿を第１読み取り部３２で読み取る場合、第１走行体２４及び第２走行体２７を、走行体モータ３３により駆動されて、図２の左右方向（ｙ方向）である副走査方向に、第２走行体２７の速度が第１走行体２４の１／２の速度となる状態で移動させつつ、コンタクトガラス２３上に固定的にセットされた原稿に、ランプ２５から読み取り光を照射する。第１読み取り部３２は、原稿からの反射光や散乱光を第１ミラー２６、第２ミラー２８及び第３ミラー２９で順次反射させて、レンズ３０を介してＣＣＤユニット３１に集光し、ＣＣＤユニット３１で電気信号に光電変換することで該原稿を主走査及び副走査して、該原稿の画像を読み取る。第１読み取り部３２は、この第１走行体２４及び第２走行体２７を、走行体モータ３３により、副走査方向（ｙ方向）に往復移動させ、原稿走査とリタ−ンを行わせる。ＣＣＤユニット３１は、多数の光電変換素子としてのＣＣＤが主走査方向に配列されたＣＣＤアレイを有し、該ＣＣＤアレイの画像読み取り信号を主走査ラインずつ区分して繰り返し出力する。
【００２６】
ＡＤＦ６は、原稿台４１、ピックアップローラ４２、レジストローラ４３、押さえローラ４４、搬送ドラム４５、原稿排紙経路４６、排紙ローラ４７、密着イメージセンサ４８、密着イメージセンサ４８を挟んだ状態で配設されている読み取りローラ４９、済みスタンプ部５０、排紙ローラ５１及び圧板５２等を備えており、ＡＤＦ６は、ピックアップローラ４２により原稿台４１上にセットされた複数枚の原稿を１枚ずつ分離して、レジストローラ４３に送り出す。ＡＤＦ６は、レジストローラ４３に送り出されてきた原稿をレジストローラ４３で読み取りタイミングとのタイミング調整を行って、搬送ドラム４５に送り出し、該搬送ドラム４５に送り出した原稿を搬送ドラム４５と押さえローラ４４との間に挟んだ状態で読み取りガラス２２と搬送ドラム４５との間に搬送する。
【００２７】
ＡＤＦ６を用いて原稿を搬送させて、該原稿の画像を読み取るＡＤＦモード時には、スキャナ部４は、図２に実線で示すように、読み取りガラス２２の下方に第１走行体２４を位置させ、近接した位置に第２走行体２７を位置させて、読み取りガラス２２に搬送されてきた原稿に第１走行体２４上のランプ２５から読み取りガラス２２上を搬送される原稿に読み取り光を照射させる。スキャナ部４は、該原稿で反射された光を上記同様に、第１ミラー２６、第２ミラー２８、第３ミラー２９で順次反射させて、レンズ３０を通してＣＣＤユニット３１に集束させ、ＣＣＤユニット３１で光電変換することで、原稿を搬送させつつ、原稿台４１上での原稿の上面（表面）の画像を読み取る。
【００２８】
ＡＤＦ６は、スキャナ部４による原稿の表面の画像の読み取りを行いつつ、原稿を排紙ローラ４７に送り、排紙ローラによって、原稿排紙経路４６上を、密着イメージセンサ（裏面画像読み取り手段）４８に搬送して、読み取りローラ４９で搬送しつつ、密着イメージセンサ４８によって、原稿の裏面の画像を読み取る。ＡＤＦ６は、密着イメージセンサ４８による裏面の画像の読み取りを行いつつ原稿を搬送して、排紙ローラ５１により原稿を圧板５２上部に形成されている排紙トレイ５２ａ上に排出する。圧板５２は、コンタクトガラス２３上を開閉可能に設けられており、コンタクトガラス２３上にセットされた原稿をコンタクトガラス２３に押しつける。
【００２９】
コンタクトガラス２３上の搬送ドラム４５側の所定位置には、原稿始端の位置決めを行う位置決めスケール３４が配設されており、この位置決めスケール３４と読み取りガラス２２との間には、白基準板３５及び第１走行体２４を検出する基点センサ３６が設けられている。白基準板３５は、ランプ２５の個々の発光強度のばらつき、主走査方向のばらつき、ＣＣＤユニット３１の画素毎の感度ムラ等の原因によって一様な濃度の原稿を読み取ったにもかかわらず、読み取りデータがばらつく現象を補正（シェーディング補正）するための基準信号を提供する。複合装置１は、白基準板３５を原稿スキャン前に主走査方向１ライン分の読み取りを行って、この読み取った白基準データをメモリに記憶し、原稿画像を読み取ったときに、原稿をスキャンした画素毎に、画像データを該メモリ上の対応する白基準データで割り算することで、シェーディング補正する。
【００３０】
ＡＤＦ６は、読み取りローラ４９を、図示しないステッピングモータにより搬送ローラ４５による原稿の搬送速度とで同速度で回転駆動し、原稿の裏面と密着イメージセンサ４８との距離を一定に維持する。
【００３１】
そして、原稿が両面に画像の形成されている両面原稿であるときには、読み取りローラ４９と密着イメージセンサ４８との間を搬送される原稿の他面（裏面）の画像を密着イメージセンサ４８で読み取る。
【００３２】
すなわち、複合装置１は、ＡＤＦモードにおいては、第１読み取り部３２により原稿の表面の画像を読み取り、密着イメージセンサ４８により原稿の裏面の画像を読み取ることで、原稿の両面を同時に読み取ることができる。
【００３３】
そして、複合装置１においては、図２に示すように、副走査方向の右側の破線で示す第１走行体２４の位置から上記位置決めスケール３４の右側端までが最大長の画像走査領域である。
【００３４】
また、複合装置１は、図示しないが、ファクシミリ通信部（ファクシミリ通信手段）を備えており、ファクシミリ通信部には、上記ＰＢＸ１５等を介して電話回線が接続されている。ファクシミリ通信部は、電話回線を介して相手ファクシミリ装置と所定のファクシミリ制御信号を交換して、ファクシミリ通信手順を実行し、スキャナ部４で読み取られた原稿の画像データをファクシミリ送信する。また、複合装置１は、ファクシミリ通信部によって、相手ファクシミリ装置から画像データを受信するファクシミリ受信処理を行い、該ファクシミリ通信部がファクシミリ受信した画像データをプリンタ部３で用紙に印刷出力する。
【００３５】
上記済みスタンプ部５０は、図３に示すように、済みスタンプ記録部６１、ＨＰ（ホームポジション）スイッチ６２、移動モータ６３、移動モータ６３の駆動プーリ６３ａと従動プーリ６４との間に張り渡された移動ベルト６５等を備えており、移動モータ６３の駆動プーリ６３ａと従動プーリ６４が、原稿の主走査方向（幅方向）の端部位置に配置されて、移動ベルト６５が、最大幅の原稿の主走査方向に両端部位置まで張り渡されている。移動ベルト６５は、移動モータ６３が駆動されて、駆動プーリ６３ａが回転することで、従動プーリ６４との間で主走査方向に回転移動される。
【００３６】
済みスタンプ記録部（済みスタンプ手段）６１は、所定の済みスタンプ、例えば、丸内に「済」の字からなる済みスタンプ、所定のマーク等を原稿に記録する。済みスタンプ記録部６１は、移動ベルト６５に取り付けられており、移動ベルト６５が移動モータ６３によって回転移動されることで、主走査方向に移動する。ＨＰスイッチ６２は、所定のホームポジションに配置されており、済みスタンプ記録部６１がホームポジションに移動したことを検出して、ホームポジション検出信号を出力する。複合装置１は、複合装置１の電源立ち上げ時等の所定タイミングに、移動モータ６３を駆動させてＨＰスイッチ６２がオンするまで、ＨＰスイッチ６２方向に済みスタンプ記録部６１を移動させて済みスタンプ記録部６１の位置検出を行い、その後、移動モータ６３の駆動を制御して、済みスタンプ記録部６１を所定の初期位置に移動させる。
【００３７】
そして、複合装置１は、図４に示すように、コントローラ７０、エンジン８０及びＡＤＦ６等を備えており、コントローラ７０上に、コピー機能部７１、ファクシミリ機能部７２、スキャナ機能部７３、プリンタ機能部７４、済みスタンプ機能部７５及び図示しない操作表示機能部等が構築されている。
【００３８】
コントローラ７０は、図示しないが、ＣＰＵ（Central Processing Unit ）、ＲＯＭ（Read Only Memory）、ＲＡＭ（Random Access Memory）等を備え、ＲＯＭ内には、複合装置１としての基本プログラム、本発明の済みスタンプ制御プログラム等のプログラム及び必要なデータが格納されている。コントローラ７０は、ＣＰＵがＲＯＭ内のプログラムに基づいてＲＡＭをワークメモリとして利用しつつ複合装置１の各部を制御して、複合装置１としての処理を実行するとともに、済みスタンプ制御処理を実行する。すなわち、複合装置１は、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Video Disk）、ＳＤ（Secure Digital）カード、ＭＯ（Magneto-Optical Disc）等の複合装置１が読み取り可能な記録媒体に記録されている本発明の済みスタンプ制御処理を実行する済みスタンプ制御プログラムを読み込んで、コントローラ７０のＲＯＭ等に導入することで、後述する済みスタンプ制御処理を実行する複合装置１として構築されている。この済みスタンプ制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００３９】
操作表示機能部は、操作表示部５での入力操作の取得の制御や操作表示部５のディスプレイへの表示制御等を行い、操作表示部５の操作に基づいて、エンジン８０に画像読み取り要求、印刷要求等を出す。コピー機能部７１は、スキャナ部４とプリンタ部３を駆動制御し、スキャナ部４で読み取った原稿の画像をプリンタ部３で用紙に印刷出力するコピー処理を行う。ファクシミリ機能部７２は、ファクシミリ通信部とスキャナ部４またはファクシミリ通信部とプリンタ部３を制御し、スキャナ部４で読み取った原稿の画像データを相手ファクシミリ装置に送信するファクシミリ送信処理及びファクシミリ受信した画像データをプリンタ部３で用紙に印刷出力するファクシミリ受信処理を実行する。スキャナ機能部７３は、スキャナ部４を制御して原稿の画像を読み取らせて、プリンタ部７４、ホスト装置ＨＳ、ファクシミリ通信部等に渡すスキャナ処理を実行し、プリンタ機能部７４は、プリンタ部３を制御して、スキャナ部４で読み取られた原稿の画像データ、ファクシミリ通信部の受信した画像データ、ホスト装置ＨＳから受信した画像データを用紙に印刷出力する印刷処理を行う。
【００４０】
済みスタンプ機能部７５は、済みスタンプ部５０の駆動を制御して、済みスタンプの原稿への記録処理及び記録位置制御処理を実行する。すなわち、済みスタンプ機能部７５は、済みスタンプ部５０の済みスタンプ記録部６１の記録動作を制御して、所定タイミング、例えば、原稿の表面の読み取り完了タイミング、裏面の読み取り完了タイミング、表裏面の読み取り完了タイミング、読み取り原稿の正常なファクシミリ送信確認タイミング等に該読み取りの完了した原稿への済みスタンプの記録処理を行うとともに、移動モータ６３の駆動制御を行って、済みスタンプの原稿への記録位置を、原稿の表面と裏面とで異なる記録位置、原稿の該読み取り面の読み取り回数によって異なる記録位置とする記録位置制御処理を行う。
【００４１】
エンジン８０は、スキャナ部４、プリンタ部３等を総称したものであり、画像読み取り制御部８１及び印刷制御部８２等を備えている。画像読み取り制御部８１は、コントローラ７０の制御下で、ＡＤＦ６、スキャナ部４及びＡＤＦ６の密着イメージセンサ４８の動作を制御し、印刷制御部８２は、プリンタ部３の動作を制御する。
【００４２】
次に、本実施例の作用を説明する。本実施例の複合装置１は、ＡＤＦ６にセットされた原稿の画像を読み取る場合、済みスタンプの原稿への記録位置を、原稿の表面と裏面とで異なる記録位置、原稿の読み取り面の読み取り回数によって異なる記録位置とする記録位置制御処理を行う。なお、以下の説明では、ＡＤＦ６にセットされた原稿の画像をファクシミリ送信する場合を例として、済みスタンプ制御処理について説明する。
【００４３】
すなわち、複合装置１は、ＡＤＦ６の原稿台４１に原稿がセットされ、操作表示部５で送信先の入力操作等のファクシミリ送信に必要な操作が行われてスタートキーが操作されると、コントローラ７０が、そのファクシミリ通信機能部によってファクシミリ通信部を制御して、ファクシミリ通信相手との接続を行い、ファクシミリ通信相手と接続されると、コントローラ７０の操作表示機能部が、エンジン８０を介してＡＤＦ６に対して給紙要求を出して、原稿の搬送を開始させ、また、スキャナ部４及び密着イメージセンサ４８による読み取り要求を出して、適時のタイミングに原稿の画像の読み取りを行わせる。
【００４４】
ＡＤＦ６は、給紙要求があると、ピックアップローラ４２により原稿台４１上にセットされた複数枚の原稿を１枚ずつ分離して、レジストローラ４３に送り出し、レジストローラ４３で読み取りタイミングとのタイミング調整を行って、搬送ドラム４５に送り出す。ＡＤＦ６は、搬送ドラム４５に送り出した原稿を搬送ドラム４５と押さえローラ４４との間に挟んだ状態で読み取りガラス２２と搬送ドラム４５との間に搬送する。
【００４５】
スキャナ部４は、ＡＤＦ６を使用した読み取りモード（ＡＤＦモード）では、読み取りガラス２２の下方に第１走行体２４を位置させ、近接した位置に第２走行体２７を位置させる。スキャナ部４は、コントローラ７０から読み取り要求があると、読み取りガラス２２に搬送されてきた原稿に第１走行体２４上のランプ２５から読み取りガラス２２上を搬送される原稿に読み取り光を照射させて、原稿で反射された光を第１ミラー２６、第２ミラー２８、第３ミラー２９で順次反射させ、レンズ３０を通してＣＣＤユニット３１に集束させて、ＣＣＤユニット３１で光電変換することで、読み取りガラス２２上を搬送される原稿の表面の画像を読み取る。
【００４６】
コントローラ７０は、ファクシミリ機能部７２によってファクシミリ通信部を制御して、スキャナ部４の読み取った原稿の画像データを順次ファクシミリ通信相手に送信する。
【００４７】
ＡＤＦ６は、スキャナ部４で画像の読み取りの行われた原稿を、搬送ドラム４５と排紙ローラ４７との間に送り、搬送ドラム４５と排紙ローラ４７によって、原稿排紙経路４６上を、密着イメージセンサ４８に搬送する。
【００４８】
このとき、原稿読み取りモードが両面読み取りモードであると、コントローラ７０は、エンジン８０を介してＡＤＦ６に読み取り要求を行い、ＡＤＦ６は、読み取りローラ４９で搬送しつつ、密着イメージセンサ４８によって、原稿の裏面の画像を読み取る。コントローラ７０は、ファクシミリ機能部７２によってファクシミリ通信部を制御して、スキャナ部４で読み取った原稿の画像データの送信を完了した後、密着イメージセンサ４８の読み取った原稿の画像データを順次ファクシミリ通信相手に送信する。
【００４９】
ＡＤＦ６は、密着イメージセンサ４８による裏面の画像の読み取りを行いつつ原稿を搬送して、排紙ローラ５１により原稿を圧板５２上の排紙トレイ５２ａ上に排出するが、コントローラ７０は、原稿の後端が密着イメージセンサ４８を通過して、予め設定されている副走査方向済みスタンプ記録位置が済みスタンプ部５０に搬送された時点で、該原稿の搬送を一時停止させ、表面の画像データのファクシミリ送信が完了すると、済みスタンプ機能部７５によって、済みスタンプ部５０の移動モータ６３を制御して、予め設定されている主走査方向表面記録位置に済みスタンプ記録部６１を主走査方向に移動させる。コントローラ７０は、済みスタンプ記録部６１を該主走査方向表面記録位置に移動させると、済みスタンプ記録部６１を駆動させて、該主走査方向表面記録位置に表面済みスタンプを記録させる。
【００５０】
さらに、コントローラ７０は、表面済みスタンプを記録させると、密着イメージセンサ４８の読み取った原稿裏面の画像データのファクシミリ送信が完了するのを待ち、裏面の画像データのファクシミリ送信が完了すると、済みスタンプ機能部７５によって、済みスタンプ部５０の移動モータ６３を制御して、予め設定されている主走査方向裏面記録位置に済みスタンプ記録部６１を主走査方向に移動させる。コントローラ７０は、済みスタンプ記録部６１を該主走査方向裏面記録位置に移動させると、済みスタンプ記録部６１を駆動させて、該主走査方向裏面記録位置に裏面済みスタンプを記録させる。
【００５１】
そして、コントローラ７０は、済みスタンプ部５０による裏面済みスタンプの記録を完了すると、ＡＤＦ６に排紙要求を出して、排紙ローラ５１を駆動させて、一時停止させていた原稿を排紙トレイ５２ａ上に排出させる。
【００５２】
複合装置１は、上記原稿の搬送処理、画像読み取り処理、表面と裏面の済みスタンプ記録処理及び原稿の排紙処理を原稿枚数だけ繰り返して行うと、ファクシミリ送信処理を終了する。
【００５３】
このように、本実施例の複合装置１は、搬送される原稿を、スキャナ部４や密着イメージセンサ４８で走査して、原稿の画像を読み取った後の所定タイミングに、コントローラ７０の済みスタンプ機能部７５が、該原稿に少なくとも読み取り済であることを示す済みスタンプを記録する済みスタンプ記録部６１を移動モータ６３によって主走査方向の所定の主走査方向記録位置に移動させるとともに、該済みスタンプ記録部６１の記録動作を制御して該主走査方向記録位置であって該原稿の所定の副走査方向記録位置に該済みスタンプを記録している。
【００５４】
したがって、済みスタンプを記録する毎、例えば、表面済みスタンプと裏面済みスタンプ、読み取り毎の済みスタンプ等によって済みスタンプの記録位置を主走査方向で異ならせて記録することができ、済みスタンプによる読み取り済等の処理済の確認を適切かつ容易に行うことができる。
【００５５】
上記ファクシミリ送信処理において、原稿が両面原稿ではなく、表面のみの片面原稿であると、上記ファクシミリ送信処理において、スキャナ部４で原稿表面の画像を読み取って、原稿の後端が密着イメージセンサ４８を通過して、予め設定されている副走査方向済みスタンプ記録位置が済みスタンプ部５０に搬送された時点で、該原稿の搬送を一時停止させ、表面の画像データのファクシミリ送信が完了すると、済みスタンプ機能部７５によって、済みスタンプ部５０の移動モータ６３を制御して、予め設定されている主走査方向表面記録位置に済みスタンプ記録部６１を主走査方向に移動させる。コントローラ７０は、済みスタンプ記録部６１を該主走査方向表面記録位置に移動させると、済みスタンプ記録部６１を駆動させて、該主走査方向表面記録位置に表面済みスタンプを記録させる。コントローラ７０は、済みスタンプ部５０による表面済みスタンプの記録を完了すると、ＡＤＦ６に排紙要求を出して、排紙ローラ５１を駆動させて、一時停止させていた原稿を排紙トレイ５２ａ上に排出させる。
【００５６】
なお、複合装置１は、済みスタンプ部５０の済みスタンプ記録部６１が、複数種類の済みスタンプ、例えば、形状、色の異なる複数の済みスタンプを記録する機能を備えていてもよく、このような複数種類の済みスタンプを記録する機能を有しているときには、コントローラ７０は、表面済みスタンプと裏面済みスタンプとで異なる種類の済みスタンプを記録させてもよい。
【００５７】
このようにすると、済みスタンプが表面済みスタンプであるのか、裏面済みスタンプであるのか、何回目の済みスタンプであるのかを簡単かつ確実に知ることができ、より一層利用性を向上させることができる。
【００５８】
また、複合装置１は、済みスタンプ部５０の済みスタンプ記録部６１が、複数種類の済みスタンプ、例えば、形状、色の異なる複数の済みスタンプを記録する機能を備えているときには、コントローラ７０は、同じ原稿を複数回読み取って送信する場合、該原稿の読み取り回数によって異なる種類の済みスタンプを記録させてもよい。
【００５９】
このようにすると、済みスタンプが何回目の済みスタンプであるのかを簡単かつ確実に知ることができ、より一層利用性を向上させることができる。
【００６０】
なお、上記説明では、ファクシミリ送信を行う場合の済みスタンプ記録処理について説明したが、スキャナ機能によってスキャナ部４で読み取った原稿の画像データをホスト装置ＨＳに送信する場合やコピー機能によってスキャナ部４で読み取った原稿の画像をプリンタ部３で印刷出力する場合にも同様に適用することができる。この場合、スキャナ機能においては、コントローラ７０は、上記スキャナ部４または／及び密着イメージセンサ４８による読み取りを行って、該読み取った画像データのホスト装置ＨＳへの送信が完了した時点または該原稿の読み取りが完了した時点で、上記原稿副走査方向済みスタンプ記録位置であって、かつ、主走査方向表面記録位置や主走査方向裏面記録位置に、済みスタンプ部５０を駆動させて済みスタンプを記録させる。また、コピー機能においては、コントローラ７０は、上記スキャナ部４または／及び密着イメージセンサ４８による読み取りを行って、該読み取った画像データのプリンタ部３による印刷処理が完了した時点または該原稿の読み取りが完了した時点で、上記原稿副走査方向済みスタンプ記録位置であって、かつ、主走査方向表面記録位置や主走査方向裏面記録位置に、済みスタンプ部５０を駆動させて済みスタンプを記録させる。
【００６１】
また、上記実施例においては、済みスタンプ部５０を原稿の表面側にのみ設けて、表面用済みスタンプと裏面用済みスタンプを、その主走査方向の記録位置を、主走査方向表面記録位置と主走査方向裏面記録位置とで異ならせて、記録しているが、済みスタンプ部５０を原稿の表面側ではなく、裏面側に設けて、上記同様の済みスタンプ記録制御を行ってもよい。
【００６２】
さらに、済みスタンプ部５０を原稿の表面側または裏面側の一方側に表面用済みスタンプ部と裏面用済みスタンプ部を設け、それぞれの済みスタンプ部によって、主走査方向で異なる主走査方向記録位置に表面済みスタンプ及び裏面済みスタンプを記録するようにしてもよい。
【００６３】
このようにすると、済みスタンプ部の機構を簡略化することができ、ＡＤＦ６の構成を簡略化することができる。
【００６４】
この場合、原稿の同じ側の面に記録する表面済みスタンプと裏面済みスタンプを、少なくとも形状、色等によって区別可能な状態、例えば、表面済みスタンプとして、丸内に「表」の字からなる済みスタンプを用い、裏面済みスタンプとして、丸内に「裏」の字からなる済みスタンプを用いる。この区別可能な状態は、表面済みスタンプと裏面済みスタンプの記録位置を、例えば、主走査方向一方側と他方側とに離すことによって行ってもよい。
【００６５】
このようにすると、原稿の同じ側に記録された済みスタンプのうちどの済みスタンプが表面用であるか、裏面用であるかを、容易かつ確実に知ることができ、利用性を向上させることができる。
【００６６】
また、済みスタンプ部５０を原稿の表面側と裏面側の双方に設け、それぞれの済みスタンプ部によって、表面側及び裏面側のそれぞれにおいて、読み取り回数を重ねる毎に、主走査方向で異なる記録位置に表面済みスタンプ及び裏面済みスタンプを記録するようにしてもよい。
【００６７】
このようにすると、表面済みスタンプ及び裏面済みスタンプを確実かつ容易に確認することができ、利用性を向上させることができる。
【００６８】
さらに、済みスタンプ記録処理においては、原稿の読み取り回数を重ねる毎に、主走査方向で異なる記録位置に済みスタンプを記録するようにしてもよい。すなわち、例えば、既に済みスタンプの記録されている原稿をスキャナ部４や密着イメージセンサ４８で読み取ると、該読み取りに対する済みスタンプを、既に記録されている済みスタンプの記録位置よりも主走査方向において位置をずらせて記録する。
【００６９】
このようにすると、既に記録されている済みスタンプに重なって済みスタンプが記録されることを防止することができ、読み取り回数に関わらず、済みスタンプの記録を容易かつ確実に確認することができる。
【００７０】
また、複合装置１は、原稿画像の読み取り完了やファクシミリ送信の完了の確認を済みスタンプの記録によって行うようにしているが、同時に、完了を通知する音声、例えば、ブザー音、その旨の音声メッセージの出力を行ってもよい。この場合、原稿の表面画像データのファクシミリ送信の完了時に出力する音声と裏面画像データのファクシミリ送信の完了時に出力する音声の種類を異ならせる。
【００７１】
このようにすると、ユーザが複合装置１から離れている場合にも、原稿の表面のファクシミリ送信の完了と裏面のファクシミリ送信の完了を該異なる音声によって容易に認識することができる。
【００７２】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。また、第１実施例及び第２実施例で説明したものに限定されず、これらと均等な手法も本発明の技術的範囲に含まれる。
【産業上の利用可能性】
【００７３】
本発明は、画像読み取りを行った原稿に済みスタンプを記録するスキャナ装置、ファクシミリ装置、複写装置、複合装置等の画像処理装置に利用することができる。
【図面の簡単な説明】
【００７４】
【図１】本発明の一実施例を適用した複合装置の概略構成図。
【図２】図１のスキャナ部及びＡＤＦの構成図。
【図３】図２のスタンプ部の概略構成図。
【図４】図１の複合装置の要部機能ブロック構成図。
【符号の説明】
【００７５】
１  複合装置
２  給紙バンク
３  プリンタ部
３ａ  両面ドライブユニット
４  スキャナ部
５  操作表示部
６  ＡＤＦ
７  大容量給紙トレイ
１０  フィニッシャ
１１  排紙トレイ
１５  ＰＢＸ
ＨＳ  ホスト装置
２１  筐体
２２  読み取りガラス
２３  コンタクトガラス
２４  第１走行体  ２５  ランプ
２６  第１ミラー
２７  第２走行体
２８  第２ミラー
２９  第３ミラー
３０  レンズ
３１  ＣＣＤユニット
３２  第１読み取り部
３３  走行体モータ
４１  原稿台
４２  ピックアップローラ
４３  レジストローラ
４４  押さえローラ
４５  搬送ドラム
４６  原稿排紙経路
４７  排紙ローラ
４８  密着イメージセンサ
４９  読み取りローラ
５０  済みスタンプ部
５１  排紙ローラ
５２  圧板
６１  済みスタンプ記録部
６２  ＨＰ（ホームポジション）スイッチ
６３  移動モータ
６３ａ  駆動プーリ
６４  従動プーリ
６５  移動ベルト
７０  コントローラ
７１  コピー機能部
７２  ファクシミリ機能部
７３  スキャナ機能部
７４  プリンタ機能部
７５  済みスタンプ機能部
８０  エンジン
８１  画像読み取り制御部
８２  印刷制御部
【図１】
2009225375.tif 000003
【図２】
2009225375.tif 000004
【図３】
2009225375.tif 000005
【図４】
2009225375.tif 000006